(57)【要約】      （修正有）【課題】本発明は電池製品を提供する。【解決手段】電池製品は箱体と加熱コネクタを備える。箱体は実装パネルを備える。実装パネルは主体部と、主体部から突出し、箱体の外側と内側に夫々位置する第１と第２ソケット部とを備え、第１と第２ソケット部は縦方向に互いに連通する。加熱コネクタは第１ソケット部に取り付けられる第１プラグアセンブリ２１と、第２ソケット部に取り付けられ、第１プラグアセンブリ２１に接続される第２プラグアセンブリ２２とを備える。箱体の実装パネルに、第１プラグアセンブリ２１の取り付けられた第１ソケット部と第２プラグアセンブリ２２の取り付けられた第２ソケット部とが直接形成されるため、背景技術に係る技術に比べ、本発明は加熱コネクタのソケットを実装パネルに直接集積設計することに相当し、ボルトで固定する形態を省くだけでなく、電池製品の集積度を高め、電池製品の空間利用率とエネルギー密度を向上させる。【選択図】図３
2020087919.tif 000002
【特許請求の範囲】
【請求項１】
電池製品であって、
箱体と加熱コネクタ（２）とを備え、
箱体は、実装パネル（１）を備え、加熱コネクタ（２）は、実装パネル（１）に取り付けられ、
実装パネル（１）は、主体部（１１）と、主体部（１１）から突出し、箱体の外側に位置する第１ソケット部（１２）と、主体部（１１）から突出し、箱体の内側に位置する第２ソケット部（１３）とを備え、且つ、第２ソケット部（１３）と第１ソケット部（１２）とは、対向設置されているとともに、縦方向（Ｙ）において互いに連通し、
加熱コネクタ（２）は、第１ソケット部（１２）に取り付けられる第１プラグアセンブリ（２１）と、第２ソケット部（１３）に取り付けられ、第１プラグアセンブリ（２１）に接続される第２プラグアセンブリ（２２）とを備えることを特徴とする電池製品。
【請求項２】
第１ソケット部（１２）は、第１壁体（１２１）と、第１壁体（１２１）の外側に設けられる第１接続部（１２２）とを備え、
第１プラグアセンブリ（２１）は、第１壁体（１２１）に嵌合される第１ケーシング（２１１）と、第１ケーシング（２１１）の外側に設けられ、第１接続部（１２２）に接続される第１接続具（２１２）とを備えることを特徴とする請求項１に記載の電池製品。
【請求項３】
第１ソケット部（１２）は、第１壁体（１２１）の外側に設けられる第１位置決め部（１２３）をさらに備え、
第１ケーシング（２１１）は、第１壁体（１２１）に嵌設される第１本体部（２１１Ａ）と、第１本体部（２１１Ａ）から突出し、前記第１接続具（２１２）が設けられる第１取付部（２１１Ｂ）と、第１本体部（２１１Ａ）の内側に設けられ、第１位置決め部（１２３）と凹凸嵌合される第２位置決め部（２１１Ｃ）とを備えることを特徴とする請求項２に記載の電池製品。
【請求項４】
第１接続具（２１２）は、片持ち式の方式で第１ケーシング（２１１）の第１取付部（２１１Ｂ）に設けられ、
第１プラグアセンブリ（２１）は、第１ケーシング（２１１）の第１取付部（２１１Ｂ）に設けられる第１ロック具（２１３）をさらに備え、
第１接続具（２１２）の一端は、第１接続部（１２２）に係合し、第１ロック具（２１３）は、第１接続具（２１２）の他端を固定することを特徴とする請求項３に記載の電池製品。
【請求項５】
第１ケーシング（２１１）は、第１取付部（２１１Ｂ）に設けられる第１固定溝（２１１Ｄ）をさらに備え、
第１ロック具（２１３）は、第１基体部（２１３Ａ）と、第１基体部（２１３Ａ）から突出する第１延在部（２１３Ｂ）と、一端が第１基体部（２１３Ａ）に接続され、他端が第１基体部（２１３Ａ）と間隔をあける第１弾性部（２１３Ｃ）と、第１弾性部（２１３Ｃ）の前記他端に設けられ、第１弾性部（２１３Ｃ）から突出する第１バックル部（２１３Ｄ）とを備え、且つ、第１延在部（２１３Ｂ）が第１接続具（２１２）の前記他端を固定するように、第１バックル部（２１３Ｄ）は、第１固定溝（２１１Ｄ）と嵌合されることを特徴とする請求項４に記載の電池製品。
【請求項６】
第２ソケット部（１３）は、第２壁体（１３１）と、第２壁体（１３１）の外側に設けられる第２接続部（１３２）とを備え、
第２プラグアセンブリ（２２）は、第２壁体（１３１）と嵌合される第２ケーシング（２２１）と、第２ケーシング（２２１）の外側に設けられ、第２接続部（１３２）に接続される第２接続具（２２２）とを備えることを特徴とする請求項１に記載の電池製品。
【請求項７】
第２ソケット部（１３）は、第２壁体（１３１）の内側に設けられる第３位置決め部（１３３）をさらに備え、
第２ケーシング（２２１）は、第２壁体（１３１）に収容される第２本体部（２２１Ａ）と、第２本体部（２２１Ａ）から突出し、前記第２接続具（２２２）が設けられる第２取付部（２２１Ｂ）と、第２本体部（２２１Ａ）の外側に設けられ、第３位置決め部（１３３）と凹凸嵌合される第４位置決め部（２２１Ｃ）とを備えることを特徴とする請求項６に記載の電池製品。
【請求項８】
第２接続具（２２２）は、片持ち式の方式で第２ケーシング（２２１）の第２取付部（２２１Ｂ）に設けられ、
第２プラグアセンブリ（２２）は、第２ケーシング（２２１）の第２取付部（２２１Ｂ）に設けられる第２ロック具（２２３）をさらに備え、
第２接続具（２２２）の一端は、第２接続部（１３２）と係合し、第２ロック具（２２３）は、第２接続具（２２２）の他端を固定することを特徴とする請求項７に記載の電池製品。
【請求項９】
第２ケーシング（２２１）は、第２取付部（２２１Ｂ）に設けられる第２固定溝（２２１Ｄ）をさらに備え、
第２ロック具（２２３）は、第２基体部（２２３Ａ）と、第２基体部（２２３Ａ）から突出する第２延在部（２２３Ｂ）と、一端が第２基体部（２２３Ａ）に接続され、他端が第２基体部（２２３Ａ）と間隔をあける第２弾性部（２２３Ｃ）と、第２弾性部（２２３Ｃ）の前記他端に設けられ、第２弾性部（２２３Ｃ）から突出する第２バックル部（２２３Ｄ）とを備え、且つ、第２延在部（２２３Ｂ）が第２接続具（２２２）の前記他端を固定するように、第２バックル部（２２３Ｄ）は、第２固定溝（２２３Ｄ）と嵌合されることを特徴とする請求項８に記載の電池製品。
【請求項１０】
主体部（１１）には、第２ソケット部（１３）の第２接続部（１３２）に対向設置される逃げ溝（１１Ａ）が設けられていることを特徴とする請求項６に記載の電池製品。
【発明の詳細な説明】
【技術分野】
【０００１】
本発明は、コネクタの技術分野に関し、特に、電池製品に関する。
【背景技術】
【０００２】
従来の加熱コネクタは、一般に第１プラグアセンブリ、ソケット及び第２プラグアセンブリを備え、第１プラグアセンブリと第２プラグアセンブリは、ソケットに装着されている。加熱コネクタが電池製品（電池製品が箱体を含み、箱体が実装パネルを含む）に応用されている場合、加熱コネクタのソケットは、ボルトを介して電池製品の実装パネルに固定取り付けられている。
【０００３】
電池製品において、加熱コネクタが高電圧、小電流の特性を有するため、加熱コネクタの沿面距離の要求を満足するために、加熱コネクタの設計寸法が大きくなりがちであり、それが電池製品の実装パネルにおいて大きな位置を占め、電池製品の空間利用率とエネルギー密度の向上が大きく制約されている。
【発明の概要】
【発明が解決しようとする課題】
【０００４】
背景技術に存在する問題に鑑み、本発明は、集積度が高く、電池製品の空間利用率とエネルギー密度を向上させる電池製品を提供することを目的とする。
【課題を解決するための手段】
【０００５】
上記目的を実現するために、本発明は電池製品を提供する。当該電池製品は、箱体と加熱コネクタとを備える。箱体は、実装パネルを備え、加熱コネクタは、実装パネルに取り付けられている。実装パネルは、主体部と、主体部から突出して箱体の外側に位置する第１ソケット部と、主体部から突出して箱体の内側に位置する第２ソケット部とを有し、且つ、第２ソケット部と第１ソケット部とは、対向設置されているとともに、縦方向において互いに連通する。加熱コネクタは、第１ソケット部に取り付けられる第１プラグアセンブリと、第２ソケット部に取り付けられ、第１プラグアセンブリに接続される第２プラグアセンブリとを備える。
【０００６】
第１ソケット部は、第１壁体と、第１壁体の外側に設けられる第１接続部とを備える。第１プラグアセンブリは、第１壁体に嵌合される第１ケーシングと、第１ケーシングの外側に設けられ、第１接続部に接続される第１接続具とを備える。
【０００７】
第１ソケット部は、第１壁体の外側に設けられる第１位置決め部をさらに備える。第１ケーシングは、第１壁体に嵌設される第１本体部と、第１本体部から突出し、第１接続具が設けられる第１取付部と、第１本体部の内側に設けられ、第１位置決め部と凹凸嵌合される第２位置決め部とを備える。
【０００８】
第１接続具は、片持ち式の方式で第１ケーシングの第１取付部に設けられている。第１プラグアセンブリは、第１ケーシングの第１取付部に設けられる第１ロック具をさらに備える。第１接続具の一端は、第１接続部に係合し、第１ロック具は、第１接続具の他端を固定する。
【０００９】
第１ケーシングは、第１取付部に設けられる第１固定溝をさらに備える。第１ロック具は、第１基体部と、第１基体部から突出する第１延在部と、一端が第１基体部に接続され、他端が第１基体部と間隔をあける第１弾性部と、第１弾性部の前記他端に設けられ、第１弾性部から突出する第１バックル部とを備え、且つ、第１延在部が第１接続具の前記他端を固定するように、第１バックル部は、第１固定溝と嵌合される。
【００１０】
第２ソケット部は、第２壁体と、第２壁体の外側に設けられる第２接続部とを備える。第２プラグアセンブリは、第２壁体と嵌合される第２ケーシングと、第２ケーシングの外側に設けられ、第２接続部に接続される第２接続具とを備える。
【００１１】
第２ソケット部は、第２壁体の内側に設けられる第３位置決め部をさらに備える。第２ケーシングは、第２壁体に収容される第２本体部と、第２本体部から突出し、前記第２接続具が設けられる第２取付部と、第２本体部の外側に設けられ、第３位置決め部と凹凸嵌合される第４位置決め部とを備える。
【００１２】
第２接続具は、片持ち式の方式で第２ケーシングの第２取付部に設けられている。第２プラグアセンブリは、第２ケーシングの第２取付部に設けられる第２ロック具をさらに備える。第２接続具の一端は第２接続部と係合し、第２ロック具は、第２接続具の他端を固定する。
【００１３】
第２ケーシングは、第２取付部に設けられる第２固定溝をさらに備える。第２ロック具は、第２基体部と、第２基体部から突出する第２延在部と、一端が第２基体部に接続され、他端が第２基体部と間隔をあける第２弾性部と、第２弾性部の前記他端に設けられ、第２弾性部から突出する第２バックル部とを備え、且つ、第２延在部が第２接続具の前記他端を固定するように、第２バックル部は、第２固定溝と嵌合される。
【００１４】
主体部には、第２ソケット部の第２接続部に対向設置される逃げ溝が設けられている。
【発明の効果】
【００１５】
本発明は、以下の有利な作用効果を有する。
箱体の実装パネルに、第１プラグアセンブリの取り付けられた第１ソケット部と、第２プラグアセンブリの取り付けられた第２ソケット部とが直接に形成されているため、背景技術に係る技術に比べて、本発明の電池製品は、加熱コネクタのソケットを実装パネルに直接に集積設計することに相当し、ボルトで固定する形態を省くだけでなく、電池製品の集積度を高めて、電池製品の空間利用率とエネルギー密度を向上させる。
【図面の簡単な説明】
【００１６】
【図１】本発明の電池製品における加熱コネクタと箱体の実装パネルとの実装を示す模式図である。
【図２】図１において破線で示される部分を示す拡大図である。
【図３】図２に示される部分を示す斜視図である。
【図４】図２におけるＡ−Ａ線に沿って切断された後の断面図である。
【図５】図３の分解図である。
【図６】実装パネルを１つの視角から見た斜視図である。
【図７】実装パネルを他の１つの視角から見た斜視図である。
【図８】第１プラグアセンブリにおける第１ロック具と第１ケーシングとの分割図である。
【図９】第２プラグアセンブリにおける第２ロック具と第２ケーシングとの分割図である。
【発明を実施するための形態】
【００１７】
本発明の目的、解決手段及び利点がより明瞭になるように、以下、図面及び実施例を参照して、本発明をさらに詳細に説明する。なお、ここに記載した具体例は、あくまでも本発明を解釈するためのものであり、本発明を限定するものではないと考えられるべきである。
【００１８】
本発明の説明において、別途明確な規定と限定がない限り、用語「第１」、「第２」は、単に説明のためのものであり、相対的な重要性を示し、又は示唆するものとして解釈されるものではない。別途明確な規定と説明がない限り、用語「接続」、「固定」、「実装」などは、広義的に理解される必要があり、例えば、「接続」は固定接続であってもよいし、取り外し可能な接続でもよく、或いは一体的な接続、又は電気的な接続、又は信号接続であってもよい。「接続」は直接に接続されてもよいし、中間媒体を介して間接に接続されてもよい。当業者にとって、具体的な状況に基づいて上記用語の本発明における具体的な意味を理解することができる。
【００１９】
本明細書の記載において、本発明の実施形態に記載されている「内」、「外」等の方位語は、図面に示す角度で記載されており、本発明の実施形態を限定するものと理解すべきではない。なお、上下の文脈において、一方の素子が他方の素子「内」または「外」に配置されていれば、それは、他方の素子「内」または「外」だけでなく、中間素子を介して他方の素子「内」または「外」に間接に配置されてもよい。
【００２０】
図１乃至図３を参照すると、本発明の電池製品は、電池、箱体、加熱膜及び加熱コネクタ２を備える。箱体は実装パネル１（実装パネルは、箱体の壁板、又は箱体の壁板に取り付けられる集積コネクタのパネルであってもよい）を備え、加熱コネクタ２は実装パネル１に取り付けられている。加熱膜は箱体の内部に位置するとともに、加熱コネクタ２に電気的に接続されており、箱体の内部における電池を加熱処理する。なお、電池製品は、電池パック又は高圧ケースであってもよい。
【００２１】
図４乃至図７を参照すると、実装パネル１は、主体部１１と、主体部１１から突出するとともに、箱体の外側に位置する第１ソケット部１２と、主体部１１から突出するとともに箱体の内側に位置する第２ソケット部１３とを備え、且つ、第２ソケット部１３と第１ソケット部１２とは、対向設置されているとともに、縦方向Ｙにおいて互いに連通する。なお、上記縦方向Ｙは、実装パネル１の厚み方向である。
【００２２】
図３乃至図５を参照すると、加熱コネクタ２は、第１プラグアセンブリ２１と第２プラグアセンブリ２２とを備える。第１プラグアセンブリ２１は、箱体の外部において実装パネル１の第１ソケット部１２に取り付けられ、第２プラグアセンブリ２２は、箱体の内部において第２ソケット部１３に取り付けられているとともに、第１プラグアセンブリ２１に接続されている。
【００２３】
箱体の実装パネル１には、第１プラグアセンブリ２１の取り付けられた第１ソケット部１２と、第２プラグアセンブリ２２の取り付けられた第２ソケット部１３とが直接に形成されているため、背景技術に係る技術に比べて、本発明の電池製品は、加熱コネクタ２のソケットを実装パネル１に直接に集積設計することに相当し（即ち、別途単独なソケットを設置する必要がない）、ボルトで固定する形態を省くだけでなく、電池製品の集積度を高めて、電池製品の空間利用率とエネルギー密度を向上させる。
【００２４】
図１乃至図３を参照すると、加熱コネクタ２の数は、２つである。２つの加熱コネクタ２がいずれも実装パネル１に取り付けられているとき、上記２つの加熱コネクタ２の第１プラグアセンブリ２１がいずれも箱体の外部の給電装置に電気的に接続され、そのうちの一方の加熱コネクタ２の第２プラグアセンブリ２２が箱体の内部の加熱膜の正極に電気的に接続され、他方の加熱コネクタ２の第２プラグアセンブリ２２が箱体の内部の加熱膜の負極に電気的に接続されることで、全体の加熱システムの電気的な接続が実現され、箱体の内部の電池を加熱処理することを図る。
【００２５】
図６を参照すると、第１ソケット部１２は、第１壁体１２１と、第１壁体１２１の外側に設けられる第１接続部１２２とを有してもよい。図８を参照すると、第１プラグアセンブリ２１は、第１ケーシング２１１と、第１ケーシング２１１の外側に設けられる第１接続具２１２とを備えてもよい。
【００２６】
第１プラグアセンブリ２１が第１ソケット部１２と取り付けられるとき、図３と図４を参照すると、第１プラグアセンブリ２１の第１ケーシング２１１を直接に挿接する方法で、第１ソケット部１２の第１壁体１２１と嵌合し、そして第１接続具２１２を第１接続部１２２に接続することで、組み立てることが完了できる。このような組み立てる方法は、簡単且つ迅速であり、電池製品の組立効率を向上させる。
【００２７】
図６を参照すると、第１ソケット部１２は、第１壁体１２１の外側に設けられる第１位置決め部１２３をさらに備えてもよい。図８を参照すると、第１ケーシング２１１は、第１壁体１２１に嵌設される第１本体部２１１Ａと、第１本体部２１１Ａから突出し、上記第１接続具２１２が設けられる第１取付部２１１Ｂと、第１本体部２１１Ａの内側に設けられ、第１位置決め部１２３と凹凸嵌合される第２位置決め部２１１Ｃとを備えてもよい。
【００２８】
第２位置決め部２１１Ｃ及び第１位置決め部１２３の設置により、第１ケーシング２１１の第１本体部２１１Ａは、迅速且つ正確に第１ソケット部１２の第１壁体１２１に嵌設されることが可能となり、接続が便利になるために、第１接続具２１２と第１接続部１２２との相対位置が正確であると確保し、電池製品の組み立てる効率をさらに向上させる。
【００２９】
具体的には、第１位置決め部１２３は、突起であり（図６に示すように）、第２位置決め部２１１Ｃは、凹溝であってもよい（図８に示すように）。或いは、第１位置決め部１２３は、凹溝であり、第２位置決め部２１１Ｃは突起であってもよい。
【００３０】
図３、図４及び図８を参照すると、第１接続具２１２は、片持ち式の方式で第１ケーシング２１１の第１取付部２１１Ｂに設けられている。第１プラグアセンブリ２１は、第１ケーシング２１１の第１取付部２１１Ｂに設けられる第１ロック具２１３をさらに備えてもよい。ここで、第１接続具２１２の一端は、第１接続部１２２に係合し、第１ロック具２１３は、第１接続具２１２の他端を固定する。
【００３１】
なお、第１接続具２１２は、第１取付部２１１Ｂと一体成型されてもよく（即ち、図９に示される第２接続具２２２と第２ケーシング２２１の第２取付部２２１Ｂとの接続関係と類似する）、或いは、ピンにより第１取付部２１１Ｂに接続されてもよい（図８に示すように）。
【００３２】
一実施例では、第１接続部１２２が突起であってもよく（図６に示すように）、第１接続具２１２の上記一端に貫通孔が設けられ（図８に示すように）、第１接続部１２２が上記貫通孔に収容されることで、第１接続具２１２の上記一端は、第１接続部１２２と係合される。
【００３３】
別の実施例では、第１接続部１２２が凹溝であってもよく、第１接続具２１２の上記一端に突起が設けられ、上記突起が第１接続部１２２に係止されることで、第１接続具２１２の上記一端は、第１接続部１２２と係合される。
【００３４】
更に別の実施例では、第１接続部１２２が突起であってもよく、第１接続具２１２の上記一端にも突起が設けられ、第１接続具２１２の突起が第１接続部１２２と主体部１１との間に係止されることで（即ち、図４に示すように、第２接続具２２２と第２ケーシング２２１の第２接続部１３２との接続関係に類似する）、第１接続具２１２の上記一端は、第１接続部１２２に係合される。
【００３５】
図８を参照すると、第１ケーシング２１１は、第１取付部２１１Ｂに設けられる第１固定溝２１１Ｄを備えてもよい。第１ロック具２１３は、第１基体部２１３Ａと、第１基体部２１３Ａから突出する第１延在部２１３Ｂと、一端が第１基体部２１３Ａに接続され、他端が第１基体部２１３Ａと間隔をあける第１弾性部２１３Ｃと、第１弾性部２１３Ｃの上記他端に設けられ、第１弾性部２１３Ｃから突出する第１バックル部２１３Ｄとを備えてもよく、且つ、第１バックル部２１３Ｄは、第１固定溝２１１Ｄと嵌合されている。
【００３６】
さらに図８を参照すると、第１ケーシング２１１は、第１固定溝２１１Ｄと間隔をあけて設けられる第１ガイド溝２１１Ｅをさらに備えてもよい。第１ロック具２１３は、第１弾性部２１３Ｃから突出し、第１バックル部２１３Ｄと間隔をあけて設けられる第１ガイド部２１３Ｅと、第１基体部２１３Ａに接続され、第１基体部２１３Ａから突出する第１ハンドル部２１３Ｆとを備えてもよい。
【００３７】
第１プラグアセンブリ２１と第１ソケット部１２との組立中に、第１接続具２１２の上記一端が第１接続部１２２と係合すると、第１バックル部２１３Ｄが第１固定溝２１１Ｄに挿入されるまで、縦方向Ｙに沿って第１ロック具２１３の第１ハンドル部２１３Ｆを押圧して、第１ガイド部２１３Ｅを第１ガイド溝２１１Ｅに沿って実装パネル１に向かって移動させ、この時、第１延在部２１３Ｂが第１接続具２１２の上記他端を支持し、これによって、第１ロック具２１３が第１接続具２１２の上記他端を固定することを図る。
【００３８】
第１プラグアセンブリ２１と第１ソケット部１２を取り外す必要があるとき、まず、縦方向Ｙに沿って第１ロック具２１３の第１ハンドル部２１３Ｆを逆方向に引っ張り、第１バックル部２１３Ｄが第１弾性部２１３Ｃを押圧して、第１弾性部２１３Ｃの上記他端が、第１バックル部２１３Ｄが第１固定溝２１１Ｄから抜けるまで、第１基体部２１３Ａに向かって移動し、このとき、第１延在部２１３Ｂが第１接続具２１２の一方側に位置し、そして、第１接続具２１２の上記一端と第１接続部１２２との係合を解除するために、第１接続具２１２の上記他端を下へ押圧し、その後、第１プラグアセンブリ２１を第１ソケット部１２から抜ければよい。
【００３９】
第１バックル部２１３Ｄと第１固定溝２１１Ｄとの嵌合が便利になるように、第１バックル部２１３Ｄの外面は、滑らかな弧形面としてもよい。
【００４０】
図７を参照すると、第２ソケット部１３は、第２壁体１３１と、第２壁体１３１の外側に設けられる第２接続部１３２とを備えてもよい。図９を参照すると、第２プラグアセンブリ２２は、第２壁体１３１に嵌合される第２ケーシング２２１と、第２ケーシング２２１の外側に設けられ、第２接続部１３２に接続される第２接続具２２２とを備えてもよい。
【００４１】
第２プラグアセンブリ２２と第２ソケット部１３とが組み立てられるとき、図３と図４を参照すると、第２プラグアセンブリ２２の第２ケーシング２２１を直接挿接する方法で第２ソケット部１３の第２壁体１３１と嵌合し、そして、第２接続具２２２を第２接続部１３２に接続することで、組み立てが完了できる。このような組み立てる方法は、簡単且つ迅速であり、電池製品の組み立てる効率を向上させる。
【００４２】
図７を参照すると、第２ソケット部１３は、第２壁体１３１の内側に設けられる第３位置決め部１３３をさらに備えてもよい。図９を参照すると、第２ケーシング２２１は、第２壁体１３１に収容される第２本体部２２１Ａと、第２本体部２２１Ａから突出し、上記第２接続具２２２が設けられる第２取付部２２１Ｂと、第２本体部２２１Ａの外側に設けられ、第３位置決め部１３３と凹凸嵌合される第４位置決め部２２１Ｃとを備えてもよい。
【００４３】
第３位置決め部１３３と第４位置決め部２２１Ｃの設置により、第２ケーシング２２１の第２本体部２２１Ａが、迅速且つ正確に第２ソケット部１３の第２壁体１３１に嵌設されることが可能となり、接続が便利になるために、第２接続具２２２と第２接続部１３２との相対位置が正確であると確保し、電池製品の組み立てる効率をさらに向上させる。
【００４４】
具体的に、第３位置決め部１３３は、突起であり、第４位置決め部２２１Ｃは凹溝であってもよい。或いは、第３位置決め部１３３は、凹溝であり（図７に示すように）、第４位置決め部２２１Ｃは、突起であってもよい（図９に示すように）。
【００４５】
図３、図４及び図９を参照すると、第２接続具２２２は、片持ち式の方式で第２ケーシング２２１の第２取付部２２１Ｂに設けられている。第２プラグアセンブリ２２は、第２ケーシング２２１の第２取付部２２１Ｂに設けられる第２ロック具２２３をさらに備えてもよい。第２接続具２２２の一端は、第２接続部１３２に係合し、第２ロック具２２３は、第２接続具２２２の他端を固定する。
【００４６】
なお、第２接続具２２２は、第２取付部２２１Ｂと一体成型されてもよく（図９に示すように）、或いは、ピンにより第２取付部２２１Ｂに接続されてもよい（即ち、図８に示される第１接続具２１２と第１ケーシング２１１の第１取付部２１１Ｂとの接続関係と類似する）。
【００４７】
一実施例では、第２接続部１３２が突起であってもよく、第２接続具２２２の上記一端に貫通孔が設けられ、第１接続部１２２が上記貫通孔に収容されていることで（即ち、図４中に示される第１接続具２１２と第１ケーシング２１１の第１接続部１２２との接続関係と類似する）、第２接続具２２２の上記一端は、第２接続部１３２と係合される。
【００４８】
別の実施例では、第２接続部１３２が凹溝であってもよく、第２接続具２２２の上記一端に突起が設けられ、上記突起が第２接続部１３２に係止されることで、第２接続具２２２の上記一端は、第２接続部１３２と係合される。
【００４９】
更に別の実施例では、第２接続部１３２が突起であってもよく（図７に示すように）、第２接続具２２２の上記一端にも突起が設けられ（図９に示すように）、第２接続具２２２の突起が第２接続部１３２と主体部１１との間に係止されることで、第２接続具２２２の上記一端は、第２接続部１３２に係合される。
【００５０】
図９を参照すると、第２ケーシング２２１は、第２取付部２２１Ｂに設けられる第２固定溝２２１Ｄをさらに備えてもよい。第２ロック具２２３は、第２基体部２２３Ａと、第２基体部２２３Ａから突出する第２延在部２２３Ｂと、一端が第２基体部２２３Ａに接続され、他端が第２基体部２２３Ａと間隔をあける第２弾性部２２３Ｃと、第２弾性部２２３Ｃの上記他端に設けられ、第２弾性部２２３Ｃから突出する第２バックル部２２３Ｄとを備えてもよく、且つ、第２バックル部２２３Ｄは、第２ケーシング２２１の第２固定溝２２３Ｄと嵌合されている。
【００５１】
さらに図９を参照すると、第２ケーシング２２１は、第２固定溝２２１Ｄと間隔をあけて設けられる第２ガイド溝２２１Ｅをさらに備えてもよい。第２ロック具２２３は、第２弾性部２２３Ｃから突出し、第２バックル部２２３Ｄと間隔をあけて設けられる第２ガイド部２２３Ｅと、第２基体部２２３Ａに接続され、第２基体部２２３Ａから突出する第２ハンドル部２２３Ｆとをさらに備えてもよい。
【００５２】
第２プラグアセンブリ２２と第２ソケット部１３との組立中に、第２接続具２２２の上記一端が第２接続部１３２と係合すると、第２バックル部２２３Ｄが第２固定溝２２１Ｄに挿入されるまで、縦方向Ｙに沿って第２ロック具２２３の第２ハンドル部２２３Ｆを押圧して、第２ガイド部２２３Ｅを第２ガイド溝２２１Ｅに沿って実装パネル１に向かって移動させ、この時、第２延在部２２３Ｂが第２接続具２２２の上記他端を支持し、これによって、第２ロック具２２３が第２接続具２２２の上記他端を固定することを図る。
【００５３】
第２プラグアセンブリ２２と第２ソケット部１３を取り外す必要があるとき、まず、縦方向Ｙに沿って第２ロック具２２３の第２ハンドル部２２３Ｆを逆方向に引っ張り、第２バックル部２２３Ｄが第２弾性部２２３Ｃを押圧して、第２弾性部２２３Ｃの上記他端が、第２バックル部２２３Ｄが第２固定溝２２１Ｄから抜けるまで、第２基体部２２３Ａに向かって移動し、このとき、第２延在部２２３Ｂが第２接続具２２２の一方側に位置し、そして、第２接続具２２２の上記一端と第２接続部１３２との係合を解除するために、第２接続具２２２の上記他端を下へ押圧し、その後、第２プラグアセンブリ２２を第２ソケット部１３から抜ければよい。
【００５４】
第２バックル部２２３Ｄと第２固定溝２２１Ｄとの嵌合が便利になるように、第２バックル部２２３Ｄの外面は、滑らかな弧形面としてもよい。
【００５５】
図７を参照すると、主体部１１には、第２ソケット部１３の第２接続部１３２に対向設置される逃げ溝１１Ａが設けられている。第２接続具２２２を押圧中に、逃げ溝１１Ａの設置により、主体部１１は、取付と取り外しが便利になるように、第２接続具２２２のための十分な移動空間を確保することができる。
【００５６】
図３乃至図５を参照すると、第１プラグアセンブリ２１は、第１ケーシング２１１内に設けられる取付ケース２１４と、取付ケース２１４に取り付けられる第１導電端子２１５をさらに備えてもよい。第２プラグアセンブリ２２は、第２ケーシング２２１に取り付けられる第２導電端子２２４をさらに備えてもよい。第１プラグアセンブリ２１と第２プラグアセンブリ２２とが実装パネル１に取り付けられると、第２ケーシング２２１は、取付ケース２１４に組み立てられ、第２導電端子２２４は、第１導電端子２１５に接続（例えば、挿接）される。
【００５７】
具体的に、図４を参照すると、第１導電端子２１５には、挿入孔が設けられ、第２導電端子２２４には、挿入ピンが設けられている。或いは、第１導電端子２１５には、挿入ピンが設けられ、第２導電端子２２４には、挿入孔が設けられている。
【００５８】
図３乃至図５を参照すると、第１プラグアセンブリ２１は、第１導電端子２１５の第２導電端子２２４から離間する一端に接続（例えば、圧着）される第１ハーネス２１６をさらに備えてもよい。第２プラグアセンブリ２２は、第２導電端子２２４の第１導電端子２１５から離間する一端に接続（例えば、圧着）される第２ハーネス２２５をさらに備えてもよい。そして、第１ハーネス２１６は、箱体の外部の給電装置に電気的に接続され、第２ハーネス２２５は、箱体の内部の加熱膜に電気的に接続される。
【００５９】
図３乃至図５を参照すると、第１プラグアセンブリ２１は、第１ハーネス２１６と第１ケーシング２１１との間に設けられる第１シールリング２１７と、係合方式で第１ケーシング２１１に固定される固定カバー２１８とをさらに備えてもよい。固定カバー２１８を取り付けるとき、固定カバー２１８が第１シールリング２１７の端面及び外周面を同時に押圧することで、第１ハーネス２１６と第１ケーシング２１１との間に、良好なシール面を形成することができる。
【００６０】
図３乃至図５を参照すると、第２プラグアセンブリ２２は、第２導電端子２２４と第２ケーシング２２１を密封するために、第２導電端子２２４と第２ケーシング２２１との間に設けられる第２シールリング２２６をさらに備えてもよい。
【００６１】
図４を参照すると、電池製品は、第１プラグアセンブリ２１と第１ソケット部１２を密封する第１密封具Ａと、第２プラグアセンブリ２２と第２ソケット部１３を密封する第２密封具Ｂとを備えてもよい。
【００６２】
第１シールリング２１７、第２シールリング２２６、第１密封具Ａ及び第２密封具Ｂが、ともに加熱コネクタ２の密封性能を保証することで、電池製品がＩＰ６８の防水レベルを満たす。
【符号の説明】
【００６３】
１  実装パネル
１１  主体部
１１Ａ  逃げ溝
１２  第１ソケット部
１２１  第１壁体
１２２  第１接続部
１２３  第１位置決め部
１３  第２ソケット部
１３１  第２壁体
１３２  第２接続部
１３３  第３位置決め部
２  加熱コネクタ
２１  第１プラグアセンブリ
２１１  第１ケーシング
２１１Ａ  第１本体部
２１１Ｂ  第１取付部
２１１Ｃ  第２位置決め部
２１１Ｄ  第１固定溝
２１１Ｅ  第１ガイド溝
２１２  第１接続具
２１３  第１ロック具
２１３Ａ  第１基体部
２１３Ｂ  第１延在部
２１３Ｃ  第１弾性部
２１３Ｄ  第１バックル部
２１３Ｅ  第１ガイド部
２１３Ｆ  第１ハンドル部
２１４  取付ケース
２１５  第１導電端子
２１６  第１ハーネス
２１７  第１シールリング
２１８  固定カバー
２２  第２プラグアセンブリ
２２１  第２ケーシング
２２１Ａ  第２本体部
２２１Ｂ  第２取付部
２２１Ｃ  第４位置決め部
２２１Ｄ  第２固定溝
２２１Ｅ  第２ガイド溝
２２２  第２接続具
２２３  第２ロック具
２２３Ａ  第２基体部
２２３Ｂ  第２延在部
２２３Ｃ  第２弾性部
２２３Ｄ  第２バックル部
２２３Ｅ  第２ガイド部
２２３Ｆ  第２ハンドル部
２２４  第２導電端子
２２５  第２ハーネス
２２６  第２シールリング
Ａ  第１密封具
Ｂ  第２密封具
Ｙ  縦方向
【図１】
2020087919.tif 000003
【図２】
2020087919.tif 000004
【図３】
2020087919.tif 000005
【図４】
2020087919.tif 000006
【図５】
2020087919.tif 000007
【図６】
2020087919.tif 000008
【図７】
2020087919.tif 000009
【図８】
2020087919.tif 000010
【図９】
2020087919.tif 000011